(57)【要約】【課題】画像表示部を有する携帯型撮像装置のバッテリー容量を容易に増加できる構造を提供する。【解決手段】撮像装置１は、撮像手段及び第１軸１１２を含む本体２００と、画像表示手段及び前記第１軸１１２と平行な第２軸１１１を含み、前記第２軸を中心にして回転可能な表示部１００と、前記第１及び第２軸を連結し、前記第１及び第２軸を中心にして回転可能な連結部材１０５と、前記本体と前記表示部の間に設けられたバッテリー収納部とを具備する。第１及び第２軸及び前記連結部材を用いて、前記表示部１００を移動することにより、前記バッテリー収納部のサイズが可変される。【選択図】      図２
2006333221.tif 000002
【特許請求の範囲】
【請求項１】
撮像手段及び第１軸を含む本体と、
画像表示手段及び前記第１軸と平行な第２軸を含み、前記第２軸を中心にして回転可能な表示部と、
前記第１及び第２軸を連結し、前記第１及び第２軸を中心にして回転可能な連結部材と、
前記本体と前記表示部の間に設けられたバッテリー収納部とを具備し、
前記第１及び第２軸及び前記連結部材を用いて、前記表示部を移動することにより、前記バッテリー収納部のサイズが可変されることを特徴とする撮像装置。
【請求項２】
前記表示部は、前記第２軸に垂直な第３軸を具備し、この第３軸を中心にして回転可能であることを特徴とする請求項１記載の撮像装置。
【請求項３】
撮像手段、内部バッテリー収納部及び第１軸を含む本体と、
画像表示手段及び前記第１軸と平行な第２軸を含み、この第２軸を中心にして回転可能な表示部と、
前記第１及び第２軸を連結し、前記第１及び第２軸を中心にして回転可能な連結部材と、
前記連結部材と結合され、前記連結部材と共に前記第１軸を中心にして回転するバッテリー端子とを具備し、
前記表示部を前記第１及び第２軸及び前記連結部材を用いて移動することにより、前記本体と前記表示部の間に生じる空間を利用して外付けバッテリーを収納可能であって、この外付けバッテリーは前記バッテリー端子に電気的に接続されることを特徴とする撮像装置。
【請求項４】
前記表示部は、前記第２軸に垂直な第３軸を具備し、この第３軸を中心にして回転可能であることを特徴とする請求項３記載の撮像装置。
【発明の詳細な説明】
【技術分野】
【０００１】
この発明は、画像表示部を有する撮像装置にバッテリーを収納する構造に関する。
【背景技術】
【０００２】
一般に、携帯型ビデオカメラあるいはデジタルスチルカメラ等の撮像装置では、バッテリーは装置に設けられたバッテリー収納部に収められ、スライド式カバー等の蓋により保護あるいは保持される。下記特許文献１には、携帯型ビデオカメラにバッテリーを確実に保持する構造が開示されている。
【特許文献１】特開平１０−３２６６０３号公報
【発明の開示】
【発明が解決しようとする課題】
【０００３】
一般に、携帯型ビデオカメラ等の撮像装置に適用されるバッテリーのサイズ及び形状は、各撮像装置について１つに決められており、他のサイズ又は形状のバッテリーを使用することはできない。つまりバッテリー容量の増大は一般に不可能である。
【０００４】
従って本発明は、画像表示部を有する携帯型撮像装置のバッテリー容量を容易に増加できる構造を提供することを目的とする。
【課題を解決するための手段】
【０００５】
本発明の一実施例に係る撮像装置は、撮像手段及び第１軸を含む本体と、画像表示手段及び前記第１軸と平行な第２軸を含み、前記第２軸を中心にして回転可能な表示部と、前記第１及び第２軸を連結し、前記第１及び第２軸を中心にして回転可能な連結部材と、前記本体と前記表示部の間に設けられたバッテリー収納部とを具備する。前記第１及び第２軸及び前記連結部材を用いて、前記表示部を移動することにより、前記バッテリー収納部のサイズが可変される。
【発明の効果】
【０００６】
画像表示部を有する携帯型撮像装置のバッテリー容量を容易に増加できる構造が提供される。
【発明を実施するための最良の形態】
【０００７】
以下、図面を参照してこの発明の実施の形態を説明する。
【０００８】
図１（Ａ）は、本発明が適用される撮像装置１の概観を示す斜視図、図１（Ｂ）は撮像装置１を図１（Ａ）の矢印Ａに示す方向から見たときの図である。
【０００９】
撮像装置１は、例えば静止画及び動画を撮像可能な携帯型デジタルカメラである。１００は液晶パネル（図示せず）を内蔵する表示部、１０１は撮像レンズ、１０２はフラッシュ、１０３はシャッターボタン、１０４はリモコン受信部である。表示部１００は、図１（Ｂ）の点線で示すように、第１軸１１１を中心にして９０°回転可能である。
【００１０】
撮像装置１は撮像レンズ１０１を介して撮像した画像（動画又は静止画）を、ＣＣＤ等の撮像素子により電気信号に変換し、メモリカードあるはＨＤＤのような記録媒体に記録することができる。又撮像装置１は、撮像レンズ１０１を介して撮像している画像あるいは記録媒体に記録した画像を、表示部１００を用いて表示することができる。
【００１１】
図２（Ａ）は撮像装置１を図１（Ａ）の矢印Ｂに示す方向から見たときの図である。
【００１２】
１０９はムービー録画ボタンであり、動画記録を行うときに操作される。１０８はズームバーであり、ズーム調整に使用される。１１３は十字キーであり、上下左右４方向のうち１方向に傾けることにより、液晶パネルに表示されている複数の情報のうち１つを選択可能であり、また単に押下することにより確定の情報を撮像装置１に入力できる。１１８はジョグダイヤルであり、各種機能の選択操作を行うために使用され、十字キー１１３の押下により、選択された機能が確定される。１１４はメニューボタンであり、各種メニュー画面を表示するために使用され、十字キー１１３の操作によりメニュー画面中の各種項目が選択及び確定される。１０７は着脱可能なメモリカードを収容するスロットのカバーである。１１６ａは着脱式の外付けバッテリーである。
【００１３】
表示部１００側の第１軸１１１と、本体側の第２軸１１２とは連結部材１０５により連結されている。連結部材１０５は第１軸１１１を中心として回転すると共に、第２軸１１２を中心として回転可能である。
【００１４】
表示部１００が図２（Ａ）のように閉じている状態で、表示部１００と本体２００の間の空間をバッテリー収納部として利用して、そこに外付けバッテリー１１６ａが収納される。この収納部にはバッテリー端子及びバッテリー固定部材（共に図示されず）が設けられている。外付けバッテリー１１６ａの場合、バッテリー表面の一部が露出した状態で装置に装着される構造になっているため、他のバッテリーへの交換が容易である。
【００１５】
図２（Ｂ）は、バッテリー１１６ａよりサイズの大きな大容量外付けバッテリー１１６ｂを、バッテリー１１６ａの代わりに撮像装置１に装着した様子を示す。このとき、表示部１００は、図２（Ａ）に示す第１の位置から、図２（Ｂ）に示す第２の位置へ移動され、撮像装置１の本体２００と表示部１００の間に存在する収納部としての空間が増大され、大容量バッテリー１１６ｂが収納可能となる。このように、第１軸１１１、第２軸１１２及び前記連結部材１０５を用いて、表示部１００を移動することにより、バッテリー収納部のサイズが可変される。
【００１６】
表示部１００は、前述したように第１軸１１１を中心に９０°回転して開かれた後、図２（Ｂ）の点線で示すように、第３軸１０３を中心として回転することが可能である。このようにして、表示部１００の液晶パネル１０６を、本体２００に対して任意の方向に向けることができる。
【００１７】
以上説明したように本実施形態による撮像装置は、表示部１００の第１軸を移動可能とすることで、装置の構造を変更することなく、標準的なバッテリーと大容量バッテリーを容易に付け替えることができる。大容量バッテリーが搭載できることにより、１回の充電で可能な装置の動作時間が延長される。 又、本実施形態による撮像装置は、大容量バッテリーを装備しても表示部の回転、折りたたみが可能である。つまり、大容量バッテリーを搭載しても、本体をコンパクトに保てるため携帯性が向上する。
【００１８】
図３（Ａ）は内臓バッテリータイプすなわち内部バッテリー収納部を有する撮像装置１に本発明を適用した例を第２実施形態として示す。内臓バッテリー１１６ｃは、本体２０１内部に組み込まれ取り外し不可能なタイプでもよいし、あるいは着脱可能でバッテリーカバーにより本体に収納されるタイプでもよい。この第２実施形態の場合、図２の外付けバッテリータイプと同様な大容量バッテリーを装着することはできない。第２実施形態では、表示部１００を図３（Ｂ）に示す第２の位置に移動した後、表示部１００と本体２０１の間に生じる空間を内部バッテリー収納部として利用して、着脱式の外付けバッテリー１１６ｄが収納される。
【００１９】
この場合、第２軸１１２には外付けバッテリー接続用のバッテリー端子１０８が設けられる。表示部１００が図３（Ａ）に示す第１の位置にあるとき、バッテリー端子１０８は図中右方向を向いている。表示部１００が第１の位置から、図３（Ｂ）に示す第２の位置に移動すると、バッテリー端子１０８は連結部材１０５と共に第２軸上を回転し、図中下向きとなる。この下向きのバッテリー端子１０８に外付けバッテリー１１６ｄ側のバッテリー端子を差し込みながら、バッテリー１１６ｄが本体２０１に装着される。
【００２０】
この第２実施形態の場合も、表示部１００の回転機能を損なうことなくバッテリーの容量拡大が可能となる。
【００２１】
本発明は、ビデオカメラあるいはデジタルスチルカメラ等の撮像装置に限らず、上記説明から明らかなように、携帯電話など回転可能な表示部を有する様々な携帯型電子機器に適用できる。
【００２２】
以上の説明はこの発明の実施の形態であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００２３】
【図１】本発明が適用される撮像装置の概観を示す図である。
【図２】本発明の第１実施形態を説明するための図である。
【図３】本発明の第２実施形態を説明するための図である。
【符号の説明】
【００２４】
１００…表示部、１０１…撮像レンズ、１０２…フラッシュ、１０３…シャッターボタン、１０４…リモコン受信部、１０５…連結部材、１０６…液晶パネル、１０７…カードスロットカバー、１０８…ズームバー、１０９…ムービー録画ボタン、１１３…十字キー、１１４…メニューボタン、１１６ａ、１１６ｄ…外付けバッテリー、１１６ｂ…大容量外付けバッテリー、１１６ｃ…内蔵バッテリー。
【図１】
2006333221.tif 000003
【図２】
2006333221.tif 000004
【図３】
2006333221.tif 000005